(57)【要約】【課題】本考案は、道具も複雑な手順もなく簡単に組立や折り畳みができ、十分な強度を備え、汎用性に富んだ折り畳み式棚状体を提供する。【解決手段】一対の脚部１は、一対の脚杆３と該両脚杆３の上端を水平方向に相互に連結する第一連結杆５と該両脚杆の該第一連結杆５の下方を水平方向に連結する第二連結杆７とからなる。該脚部１を相互に連結する連結部９の各端には水平部１１と該水平部１１の先端を下方に折り返してなる折り返し部１３とを備えさせ、該水平部１１を該脚部１における該第一連結杆５の下面と該第二連結杆３の上面との間に挿通させ、脚部１の下端を相互に離れる方向に傾斜させることにより、脚部１を水平部１１に固定し、一方の脚部１の下端と他方の脚部１の下端とが相互に接近する方向に両脚部１を回動させて折り畳まれる。【選択図】図１
0003209721.tif 000002
【実用新案登録請求の範囲】
【請求項１】
一対の脚杆と該両脚杆の上端を水平方向に相互に連結する第一連結杆と該両脚杆の該第一連結杆の下方を水平方向に連結する第二連結杆とからなる一対の脚部と、該脚部を相互に連結する連結部とからなる棚状体において、
該連結部の各端には水平部と該水平部の先端を下方に折り返してなる折り返し部とを備えさせ、
該水平部は該脚部の該第一連結杆下面と該第二連結杆上面との間を挿通し、
一方の脚部の下端と他方の脚部の下端とが相互に離れる方向に両脚部を傾斜させることにより、該脚部の第一連結杆の下面が該連結部における水平部の上面に当接し、且つ該第二連結杆の上面が該連結部における水平部の下面に当接することにより脚部が水平部に固定され、
一方の脚部の下端と他方の脚部の下端とが相互に接近する方向に両各部を回動させることにより、両脚部が連結部下面に重なることを特徴とする折り畳み式棚状体。
【請求項２】
前記両脚部には回動停止杆を備えさせ、該第一連結杆下面から該回動停止杆までの距離が該連結部の全長より短いことを特徴とする請求項１記載の折り畳み式棚状体。
【請求項３】
該第一連結杆における内方と該第二連結杆の外方とのいずれか一方又は両方に突出部を備えさせたことを特徴とする請求項１又は請求項２記載の折り畳み式棚状体。
【請求項４】
前記両脚部における第一連結杆下面と第二連結杆上面と前記連結部の水平部上面と該連結部の水平部下面との少なくともいずれか一つに脚部の角度調節手段を備えさせたことを特徴とする請求項１ないし請求項３記載の折り畳み式棚状体。
【考案の詳細な説明】
【技術分野】
【０００１】
本考案は、テーブル、物品載置棚、小型バーナー用のたき火台、コンロ台、コーヒードリッパースタンドなどに色々な用途で使用でき、キャンプなど野外でのレジャーにおいて使用に適する折り畳み式棚状体に関する。
【背景技術】
【０００２】
キャンプなど野外でのレジャーにおいては、テーブル、物品載置棚、たき火台、小型バーナー用のコンロ台、コーヒードリッパースタンドなどが必要となるところ、いずれも携帯性が要求される。そして、組み立て又は折り畳みが容易であること、重い荷物を載せる場合にその荷重に耐えられる強度が必要となる。
【０００３】
従来より、様々な折り畳み式テーブルが提案されており、特開２０１２−１４３３７８号公報には、２つ折りの天板を左右に展開し、天板に脚部材を取り付ける折り畳み式テーブルが開示されている。しかしながらこの構造では、テーブルの組み立て又は折り畳みに複数の操作が必要となり、組み立て又は折り畳みが容易でないという問題点がある。
【０００４】
特開２０１５−２９４２号公報には、折り畳み自在とした２枚の天板部材を回動して天板を展開すると、天板部材の回動に伴い脚部材が天板の下面に沿って左右に展開する構造であり、組み立て又は折り畳みが容易な折り畳み式テーブルが開示されている。しかしながらこの構造では、脚の剛性が低く、強度が不足し、重い物を載せられないという問題点がある。
【０００５】
従来の折り畳み式テーブルは用途がテーブルと限定されており、物品載置棚、たき火台、小型バーナー用のコンロ台、コーヒードリップスタンドとしては使用することができず、汎用性に欠ける。そのため、キャンプをする際にはテーブル、物品載置棚、たき火台、小型バーナー用のコンロ台、コーヒードリッパースタンドをそれぞれ用意しなくてはならず、荷物が多くなるという問題点がある。
【先行技術文献】
【特許文献】
【０００６】
【特許文献１】特開２０１２−１４３３７８号公報
【特許文献２】特開２０１５−２９４２号公報
【考案の概要】
【考案が解決しようとする課題】
【０００７】
本考案は、キャンプなど野外でのレジャーの際に使用するテーブルにおける組み立て又は折り畳みの際に道具や複雑な手順を要する、強度が不足する、用途が限定されるという問題点を解決し、道具も複雑な手順もなく簡単に組立や折り畳みができ、十分な強度を備え、汎用性に富んだ折り畳み式棚状体を提供することを目的とする。
【課題を解決するための手段】
【０００８】
上記課題を解決するために、本考案は、下記の折り畳み式棚状体を提供するものである。
【０００９】
（１）一対の脚杆と該両脚杆の上端を水平方向に相互に連結する第一連結杆と該両脚杆の該第一連結杆の下方を水平方向に連結する第二連結杆とからなる一対の脚部と、該脚部を相互に連結する連結部とからなる棚状体において、
該連結部の各端には水平部と該水平部の先端を下方に折り返してなる折り返し部とを備えさせ、
該水平部は該脚部の該第一連結杆下面と該第二連結杆上面との間を挿通し、
一方の脚部の下端と他方の脚部の下端とが相互に離れる方向に両脚部を傾斜させることにより、該脚部の第一連結杆の下面が該連結部における水平部の上面に当接し、且つ該第二連結杆の上面が該連結部における水平部の下面に当接することにより脚部が水平部に固定され、
一方の脚部の下端と他方の脚部の下端とが相互に接近する方向に両各部を回動させることにより、両脚部が連結部下面に重なることを特徴とする折り畳み式棚状体である。
【００１０】
（２）前記両脚部には回動停止杆を備えさせ、該第一連結杆下面から該回動停止杆までの距離が該連結部の全長より短いことを特徴とする折り畳み式棚状体である。
【００１１】
(３) 該第一連結杆における内方と該第二連結杆の外方とのいずれか一方又は両方に突出部を備えさせたことを特徴とする折り畳み式棚状体である。
【００１２】
（４）前記両脚部における第一連結杆下面と第二連結杆上面と前記連結部の水平部上面と該連結部の水平部下面との少なくともいずれか一つに脚部の角度調節手段を備えさせたことを特徴とする折り畳み式棚状体である。
【考案の効果】
【００１３】
請求項１の考案によれば、折り畳み式棚状体は、道具も複雑な手順もなく簡単に組立や折り畳みができ、十分な強度を備え、テーブル、物品載置棚、たき火台、小型バーナー用のコンロ台、コーヒードリッパースタンドなど種々の用途で使用可能となる。
【００１４】
請求項２の考案によれば、折り畳み式棚状体を折り畳むために両脚部を回動させる際に、両脚に備える回動停止杆が該連結部下面に当接して該両脚部の回動を停止せしめることにより、該連結部と該脚部とが分離不能となる。
【００１５】
請求項１及び請求項２の考案においては、脚部の第一連結杆下面と第二連結杆上面との間隔は連結部における水平部の外径よりも僅かに広くしなくてはならず、該間隔が広すぎると該脚部が固定できなくなる。該第一連結杆と該第二連結杆との間隔には厳密さが求められるため、請求項１及び請求項２に係る折り畳み式棚状体の製造工程において精度の高い技術が要求される。請求項３の考案によれば、該第一連結杆下面と該第二連結杆上面との間隔を水平部の外径よりある程度広くすることができるため、本件考案に係る折り畳み式棚状体を製造するにあたり、該第一連結杆及び該第二連結杆を取り付ける工程、第一連結杆と第二連結杆との間に水平部を挿通させる工程が容易となる。
【００１６】
請求項４の考案によれば、第一連結杆と第二連結杆との間隔が広すぎるために、一方の脚部の下端と他方の脚部の下端とが相互に離れる方向に両脚部を傾斜させても、該脚部の第一連結杆の下面が水平部の上面に当接せず、又は該第二連結杆の上面が水平部の下面に当接しないため、両脚部を固定することができない場合には、第一連結杆の下面と第二連結杆の上面と水平部の上面と該水平部の下面との少なくともいずれか一つに脚部の角度調節手段を備えさせることにより、該脚部の調節手段を挟持して脚部が固定可能となる。
【図面の簡単な説明】
【００１７】
【図１】図１は、本考案に係る折り畳み式棚状体の一例を示す斜視図である。
【図２】図２は、本考案に係る折り畳み式棚状体の一例を示す正面図である。
【図３】図３は、本考案に係る折り畳み式棚状体の一例を示す側面図である。
【図４】図４は、本考案に係る折り畳み式棚状体の脚部の回動状態の一例を示す断面図である。
【図５】図５は、本考案に係る折り畳み式棚状体の折り畳んだ状態の一例を示す正面図である。
【図６】図６は、本考案に係る折り畳み式棚状体の折り畳んだ状態の一例を示す平面図である。
【図７】図７は、本考案に係る折り畳み式棚状体の脚部における第一連結杆と第二連結杆と水平部とを示す部分断面図である。
【図８】図８は、本考案に係る折り畳み式棚状体の第一連結杆の内方に突出部を備える場合における該第一連結杆と該第二連結杆と水平部とを示す部分断面図である。
【図９】図９は、本考案に係る折り畳み式棚状体の第二連結杆の外方に突出部を備える場合における該第一連結杆と該第二連結杆と水平部とを示す部分断面図である。
【図１０】図１０は、本考案に係る折り畳み式棚状体の第一連結杆の内方と該第二連結杆の外方とに突出部を備える場合における該第一連結杆と該第二連結杆と水平部とを示す部分断面図である。
【図１１】図１１は、本考案に係る折り畳み式棚状体の脚部における第一連結杆の下面に脚部の角度調節手段を備えさせた一例を示す拡大正面図である。
【図１２】図１２は、本考案に係る折り畳み式棚状体の脚部における第二結杆上面に脚部の角度調節手段を備えさせた一例を示す拡大正面図である。
【図１３】図１３は、本考案に係る折り畳み式棚状体の脚部における連結部の水平部上面に脚部の角度調節手段を備えさせた一例を示す拡大正面図である。
【図１４】図１４は、本考案に係る折り畳み式棚状体の脚部における連結部の水平部下面に脚部の角度調節手段を備えさせた一例を示す拡大正面図である。
【図１５】図１５は、本考案に係る折り畳み式棚状体をテーブルとして使用した状態の一例を示す斜視図である。
【図１６】図１６は、本考案に係る折り畳み式棚状体を物品載置棚として使用した状態の一例を示す正面図である。
【図１７】図１７は、本考案に係る折り畳み式棚状体をたき火台として使用した状態の一例を示す正面図である。
【図１８】図１８は、本考案に係る折り畳み式棚状体を小型バーナー用のコンロ台として使用した状態の一例を示す正面図である。
【図１９】図１９は、本考案に係る折り畳み式棚状体をコーヒードリッパースタンドとして使用した状態の一例を示す正面図である。
【考案を実施するための形態】
【００１８】
本考案の実施の形態を添付図面に従って説明する。図１は本考案に係る折り畳み式棚状体の一例を示す斜視図、図２は本考案に係る折り畳み式棚状体の一例を示す正面図、図３は本考案に係る折り畳み式棚状体の一例を示す側面図である。一対の脚部１は、一対の脚杆３と該両脚杆３の上端を水平方向に相互に連結する第一連結杆５と該両脚杆の該第一連結杆５の下方を水平方向に連結する第二連結杆７とからなる。該脚部１を相互に連結する連結部９は二本の棒状体９ａと該両棒状体９ａを相互に連結する支持部材９ｂとからなり、該連結部９の各端には水平部１１と該水平部１１の先端を下方に折り返してなる折り返し部１３とを備える。該水平部１１は該脚部１における該第一連結杆５の下面と該第二連結杆７の上面との間を挿通してなるものである。
【００１９】
図４は、本考案に係る折り畳み式棚状体の脚部１の回動状態の一例を示す断面図である。一方の脚部１の下端と他方の脚部１の下端とが相互に離れる方向に両脚部１を傾斜させることにより、該脚部１の第一連結杆５の下面が該連結部９における水平部１１の上面に当接し、且つ該第二連結杆７の上面が該連結部９における水平部１１の下面に当接することにより、両脚部１を水平部１１に固定せしめる。一方の脚部１の下端と他方の脚部１の下端とが相互に接近する方向に両脚部１を回動させることにより、両脚部１が連結部９の下面に重なり折り畳まれる。両脚部１の回動停止杆１９は、該回動停止杆１９と該第一連結杆５下面との距離が該連結部９の全長より短くなるように備えることにより、両脚部１を回動させた際に該回動停止杆１９が該連結部９下面に当接することにより回動を停止せしめ、該両脚部１と該連結部９とが分離不能となる。
【００２０】
図５は本考案に係る折り畳み式棚状体の折り畳んだ状態の一例を示す正面図、図６は本考案に係る折り畳み式棚状体の折り畳んだ状態の一例を示す平面図である。該連結部９下面と両脚体１とは重なり、コンパクトに折り畳まれる。本考案に係る折り畳み式棚状体の組み立て又は折り畳みは両脚体１を回動させるのみであり操作は容易であり、道具も必要ない。
【００２１】
図７は、本考案に係る折り畳み式棚状体の脚部１における第一連結杆５と第二連結杆７と水平部１１とを示す部分断面図であり、脚部１の固定した状態を実線にて示し、回動自在な状態を一点鎖線にて示す。一方の脚部１の下端と他方の脚部１の下端とが相互に離れる方向に両脚部１を傾斜させることにより、該脚部１の第一連結杆５の下面が水平部１１の上面に当接し、且つ該第二連結杆７の上面が水平部１１の下面に当接することにより、両脚部１を水平部１１に固定せしめる。折り畳む際は、一方の脚部１の下端と他方の脚部１の下端とが相互に接近する方向に両脚部１を少し回動させることにより、該脚部１の第一連結杆５の下面と水平部１１の上面とが離れ、且つ該第二連結杆７の上面と水平部１１の下面とが離れる。その結果、両脚部１は回動自在となり、両脚部１は連結部９に重なり、折り畳んだ状態となる。第一連結杆５の下面と第二連結杆７の上面との間隔Ａは、水平部１１の外径より１ｍｍ〜５ｍｍ広くするのが好ましい。
【００２２】
該脚杆３、第一連結杆５、第二連結杆７、連結部９は金属、合成樹脂、木材等、どのような材料でも用いることができ、使用用途により材料を選択する。例えば、重い物を載せないテーブルとして使用する場合は持ち運びに便利な軽い材料を選択し、重い物品を載せる載置台として使用する場合は該物品の荷重に耐えられる強度を有する材料を選択し、たき火台やコンロ台として使用する場合は耐火性のある材料を選択し、コーヒードリッパースタンドとして使用する場合は耐熱性のある材料を選択するのが好ましい。該連結部９の水平部１１及び折り返し部１３は複数の棒状体からなるものでもよく、単一の面状体からなるものでもよい。
【００２３】
図８は、内方に突出部２１を備える第一連結杆５と第二連結杆７と水平部１１とを示す部分断面図である。図９は、該第一連結杆５と外方に突出部２１を備える第二連結杆７と水平部１１とを示す部分断面図である。図１０は、第一連結杆５の内方と第二連結杆７の外方とに突出部２１を備える場合における該第一連結杆５と該第二連結杆７と水平部１１とを示す部分断面図である。いずれも脚部１の固定した状態を実線にて示し、回動自在な状態を一点鎖線にて示す。突出部２１を備える場合の効果を分かりやすくするために、一例として、図７ないし図１０における水平部１１の外径はそれぞれ等しく、図８ないし図１０における突出部２１の高さはそれぞれ等しいものとする。図７における第一連結杆５の下面と第二連結杆７の上面との間隔をＡ、図８における第一連結杆５の下面と第二連結杆７の上面との間隔をＢ、図９における第一連結杆５の下面と第二連結杆７の上面との間隔をＣ、図１０における第一連結杆５の下面と第二連結杆７の上面との間隔をＤとする。図７ないし図１０から分かるとおり、第一連結杆５の下面と第二連結杆７の上面との間隔については、突出部２１を備えない場合の間隔Ａより第一連結杆５の内方に突出部２１を備える場合の間隔Ｂ又は第二連結杆７の外方に突出部２１を備える場合の間隔Ｃの方が広い。更に、第一連結杆５の内方及び第二連結杆７の外方の両方に突出部２１を備える場合の間隔Ｄは間隔Ｂ及び間隔Ｃより広い。
【００２４】
すなわち、第一連結杆５の外方と第二連結杆７の内方との少なくとも一の部分に突出部２１を備えさせることにより、該第一連結杆５と該第二連結杆７との間隔を広くすることができる、そのため、該脚部１に第一連結杆５又は第二連結杆７を取り付ける工程、第一連結杆５と第二連結杆７との間に水平部１１を挿通させる工程が容易となる。該突出部２１は、該第一連結杆５及び該第二連結杆７に固着しても、着脱自在に備えさせてもよい。
【００２５】
図１１は、該第一連結杆５の下面に脚部の角度調節手段２３を備えさせた一例として、該第一連結杆５の周囲に脚部の角度調節手段２３を巻きつけたものの拡大正面図である。図１２は該第二連結杆７の上面に脚部の角度調節手段２３を備えさせた一例として、脚部１における第二連結杆７の周囲に脚部の角度調節手段２３を巻きつけたものの拡大正面図である。図１３は、連結部９における水平部１１の上面に脚部の角度調節手段２３を備えさせた一例を示す拡大正面図である。図１４は、連結部９における水平部１１の下面に脚部の角度調節手段２３を備えさせた一例を示す拡大正面図である。いずれも脚部１の固定した状態を実線にて示し、回動自在な状態を一点鎖線にて示す。
【００２６】
第一連結杆５と第二連結杆７との間隔が広すぎるために、一方の脚部１の下端と他方の脚部１の下端とが相互に離れる方向に両脚部１を傾斜させても、該脚部１の第一連結杆５の下面が水平部１１の上面に当接せず、又は該第二連結杆７の上面が水平部１１の下面に当接しないため、両脚部１を固定することができない場合には、第一連結杆５の下面と第二連結杆７の上面と水平部１１の上面と該水平部１１の下面との少なくともいずれか一つに脚部の角度調節手段２３を備えさせることにより、該第一連結杆５と該水平部１１とが該脚部の角度調節手段２３を挟持して脚部１が固定可能となる。図１１では、該脚部の角度調節手段２３の下面が水平部１１の上面に当接し且つ該第二連結杆７の上面が水平部１１の下面に当接することにより両脚部１を固定する。図１２では、第一連結杆５の下面が水平部１１の上面に当接し、該脚部の角度調節手段２３の上面が該水平部１１の下面に当接することにより両脚部１を固定する。図１３では、第一連結杆５の下面が角度調節手段２３の上面に当接し、該第二連結杆７の上面が該水平部１１の下面に当接することにより両脚部１を固定する。図１４では、第一連結杆５の下面が水平部１１の上面に当接し、該第二連結杆７の上面が該脚部の角度調節手段２３の下面に当接することにより両脚部１を固定する。該脚部の角度調節手段２３は、可撓性を有するものからなることが好ましい。該脚部の角度調節手段２３は第一連結杆５、第二連結杆７、水平部１１に固着しても、着脱自在に備えさせてもよい。
【００２７】
図１５は、本考案に係る折り畳み式棚状体をテーブルとして使用した状態の一例を示す斜視図であり、脚杆３の高さを低くし、連結部９を面状体とする。連結部９は網状体でもよく、図１のような棒状体９aと支持部材９ｂからなるものであっても該連結部９に板状体をのせてもよい。
【００２８】
図１６は、本考案に係る折り畳み式棚状体を物品載置棚として使用した状態の一例を示す正面図である。対向する一対の回動停止杆１９の間に板状態や網状体等からなる棚板部２７を載せることにより、連結部９及び棚板部２７の上面に物品を載せることが可能となる。また、脚部１、連結部９、棚板部２７に強度を持たせることにより、キャンプで必要な飲料水タンク等など重い物品を載せることできる。
【００２９】
図１７は、本考案に係る折り畳み式棚状体をたき火台として使用した状態の一例を示す正面図である。連結部９に吊り下げ具２９を介して網状体３１を吊り下げ、該網状体３１に鍋３５等を載せて、該網状体３１の下方に設置したたき火３１で調理等をする。
【００３０】
図１８は、本考案に係る折り畳み式棚状体を小型バーナー用のコンロ台として使用した状態の一例を示す正面図である。脚部１及び連結部９を小型にすることにより、連結部９の上に直接鍋３５を載せるなどし、その下方に小型バーナー３７を設置して使用する。
【００３１】
図１９は、本考案に係る折り畳み式棚状体をコーヒードリッパースタンドとして使用した状態の一例を示す正面図である。脚部１及び連結部９を小型にし、連結部９の中央部に開口部を設け、該開口部にコーヒードリッパー３９を置き、該コーヒードリッパー３９の下方にコーヒーサーバー４１を置くなどして使用する。
【符号の説明】
【００３２】
１  脚部
３  脚杆
５  第一連結杆
７  第二連結杆
９  連結部
９ａ  棒状体
９ｂ  支持部材
１１  水平部
１３  折り返し部
１５  第一連結杆の下面と水平部の上面との当接部
１７  第二連結杆の上面と水平部の下面との当接部
１９  回動停止杆
２１  突出部
２３  脚部の角度調節手段
２５  物品
２７  棚板部
２９  吊り下げ具
３１  網状体
３３  たき火
３５  鍋
３７  小型バーナー
３９  コーヒードリッパー
４１  コーヒーサーバー
【図１】
0003209721.tif 000003
【図２】
0003209721.tif 000004
【図３】
0003209721.tif 000005
【図４】
0003209721.tif 000006
【図５】
0003209721.tif 000007
【図６】
0003209721.tif 000008
【図７】
0003209721.tif 000009
【図８】
0003209721.tif 000010
【図９】
0003209721.tif 000011
【図１０】
0003209721.tif 000012
【図１１】
0003209721.tif 000013
【図１２】
0003209721.tif 000014
【図１３】
0003209721.tif 000015
【図１４】
0003209721.tif 000016
【図１５】
0003209721.tif 000017
【図１６】
0003209721.tif 000018
【図１７】
0003209721.tif 000019
【図１８】
0003209721.tif 000020
【図１９】
0003209721.tif 000021
【手続補正書】
【提出日】平成29年2月13日(2017.2.13)
【手続補正１】
【補正対象書類名】実用新案登録請求の範囲
【補正対象項目名】全文
【補正方法】変更
【補正の内容】
【実用新案登録請求の範囲】
【請求項１】
一対の脚杆と該両脚杆の上端を水平方向に相互に連結する第一連結杆と該両脚杆の該第一連結杆の下方を水平方向に連結する第二連結杆とからなる一対の脚部と、該脚部を相互に連結する連結部とからなる棚状体において、
該連結部の各端には水平部と該水平部の先端を下方に折り返してなる折り返し部とを備えさせ、
該水平部は該脚部の該第一連結杆下面と該第二連結杆上面との間を挿通し、
一方の脚部の下端と他方の脚部の下端とが相互に離れる方向に両脚部を傾斜させることにより、該脚部の第一連結杆の下面が該連結部における水平部の上面に当接し、且つ該第二連結杆の上面が該連結部における水平部の下面に当接することにより脚部が水平部に固定され、
一方の脚部の下端と他方の脚部の下端とが相互に接近する方向に両脚部を回動させることにより、両脚部が連結部下面に重なることを特徴とする折り畳み式棚状体。
【請求項２】
前記両脚部には回動停止杆を備えさせ、該第一連結杆下面から該回動停止杆までの距離が該連結部の全長より短いことを特徴とする請求項１記載の折り畳み式棚状体。
【請求項３】
該第一連結杆における内方と該第二連結杆の外方とのいずれか一方又は両方に突出部を備えさせたことを特徴とする請求項１又は請求項２記載の折り畳み式棚状体。
【請求項４】
前記両脚部における第一連結杆下面と第二連結杆上面と前記連結部の水平部上面と該連結部の水平部下面との少なくともいずれか一つに脚部の角度調節手段を備えさせたことを特徴とする請求項１又は請求項２記載の折り畳み式棚状体。